(57)【特許請求の範囲】
【請求項１】
幅方向左側端部の裏面に複数の凹溝が前後方向に沿って形成された第１フロアーマットと、
幅方向右側端部の裏面に複数の凹溝が前後方向に沿って形成された第２フロアーマットと、
幅方向の右側端部に上方に向けて突出する複数の突条が前後方向に沿って形成されると共に幅方向の左側端部に上方に向けて突出する複数の突条が前後方向に沿って形成された連結マットと、を備えてなり、
前記連結マットの右側端部の突条は、前記第１フロアーマットの左側端部の裏面の凹溝内に着脱自在に嵌合可能であり、前記連結マットの左側端部の突条は、前記第２フロアーマットの右側端部の裏面の凹溝内に着脱自在に嵌合可能であることを特徴とする横幅調整機能を有する自動車用マット。
【請求項２】
前記第１フロアーマットの左側端部の裏面の凹溝の前後方向の長さは、前記連結マットの右側端部の突条の前後方向の長さよりも長く設定され、前記第２フロアーマットの右側端部の裏面の凹溝の前後方向の長さは、前記連結マットの左側端部の突条の前後方向の長さよりも長く設定されている請求項１に記載の横幅調整機能を有する自動車用マット。
【請求項３】
前記第１フロアーマットの凹溝を構成する左右両側の側壁のうちの少なくともいずれか一方の側壁に該凹溝の内部に突出する第１係合突起が形成され、前記連結マットの右側端部の突条の左右両側の側面のうちの前記第１係合突起と対峙する側面に該第１係合突起と係合し得る第１係合片が突設され、
前記第２フロアーマットの凹溝を構成する左右両側の側壁のうちの少なくともいずれか一方の側壁に該凹溝の内部に突出する第２係合突起が形成され、前記連結マットの左側端部の突条の左右両側の側面のうちの前記第２係合突起と対峙する側面に該第２係合突起と係合し得る第２係合片が突設されている請求項１または２に記載の横幅調整機能を有する自動車用マット。
【請求項４】
前記第１フロアーマットと前記連結マットとを連結する際に第１フロアーマットの複数の凹溝と連結マットの右側端部の複数の突条との嵌合数を選択するとともに、前記第２フロアーマットと前記連結マットとを連結する際に第２フロアーマットの複数の凹溝と連結マットの左側端部の複数の突条との嵌合数を選択することによって、連結敷設状態での横幅を調節し得るものとなされている請求項１〜３のいずれか１項に記載の横幅調整機能を有する自動車用マット。
【請求項５】
幅方向左側端部の裏面に複数の突条が前後方向に沿って形成された第１フロアーマットと、
幅方向右側端部の裏面に複数の突条が前後方向に沿って形成された第２フロアーマットと、
幅方向の右側端部の上面に複数の凹溝が前後方向に沿って形成されると共に幅方向の左側端部の上面に複数の凹溝が前後方向に沿って形成された連結マットと、を備えてなり、
前記第１フロアーマットの左側端部の裏面の突条は、前記連結マットの右側端部の凹溝内に着脱自在に嵌合可能であり、前記第２フロアーマットの右側端部の裏面の突条は、前記連結マットの左側端部の凹溝内に着脱自在に嵌合可能であることを特徴とする横幅調整機能を有する自動車用マット。
【請求項６】
前記第１フロアーマットの左側端部の裏面の突条の前後方向の長さは、前記連結マットの右側端部の凹溝の前後方向の長さよりも長く設定され、前記第２フロアーマットの右側端部の裏面の突条の前後方向の長さは、前記連結マットの左側端部の凹溝の前後方向の長さよりも長く設定されている請求項５に記載の横幅調整機能を有する自動車用マット。
【請求項７】
前記連結マットの右側端部の凹溝を構成する左右両側の側壁のうちの少なくともいずれか一方の側壁に該凹溝の内部に突出する第１係合片が形成され、前記第１フロアーマットの突条の左右両側の側面のうちの前記第１係合片と対峙する側面に該第１係合片と係合し得る第１係合突起が突設され、
前記連結マットの左側端部の凹溝を構成する左右両側の側壁のうちの少なくともいずれか一方の側壁に該凹溝の内部に突出する第２係合片が形成され、前記第２フロアーマットの突条の左右両側の側面のうちの前記第２係合片と対峙する側面に該第２係合片と係合し得る第２係合突起が突設されている請求項５または６に記載の横幅調整機能を有する自動車用マット。
【請求項８】
前記第１フロアーマットと前記連結マットとを連結する際に第１フロアーマットの複数の突条と連結マットの右側端部の複数の凹溝との嵌合数を選択するとともに、前記第２フロアーマットと前記連結マットとを連結する際に第２フロアーマットの複数の突条と連結マットの左側端部の複数の凹溝との嵌合数を選択することによって、連結敷設状態での横幅を調節し得るものとなされている請求項５〜７のいずれか１項に記載の横幅調整機能を有する自動車用マット。
【発明の詳細な説明】
【技術分野】
【０００１】
この発明は、例えば運転席用のトレーマット及び助手席用のトレーマット等の左右一対のフロアーマットが中央の連結マットを介して相互に連結した状態で敷設される自動車用マットであって、敷設対象の自動車の内幅寸法に対応してマットの敷設状態での幅寸法を適宜調整して敷設することが可能な汎用性に優れた自動車用マットに関する。
【０００２】
なお、この明細書及び特許請求の範囲において、「前後方向」の語は、本発明の自動車用マットを自動車内に敷設した状態時における該自動車の前後方向に相当する方向を意味するものとし、また、「幅方向」の語は、本発明の自動車用マットを自動車内に敷設した状態時における該自動車の幅方向に相当する方向を意味するものとする。また、「左側」の語は、本発明の自動車用マットを自動車内に敷設した状態時における該自動車の進行方向に向かって左側に対応する側方を意味し、「右側」の語は、本発明の自動車用マットを自動車内に敷設した状態時における該自動車の進行方向に向かって右側に対応する側方を意味するものとする。
【０００３】
また、この明細書及び特許請求の範囲において、「フロアーマット」の語は、カーペットマット、トレーマット等、自動車内に敷設されるマットは全て包含する意味で用いている。
【背景技術】
【０００４】
従来、自動車の運転席及び助手席の足元の床にはそれぞれフロアーマットが敷設され、さらに運転席及び助手席の間の位置に前記両フロアーマットと連続する態様でセンターマットが敷設されるのが一般的である（特許文献１参照）。
【特許文献１】特開２００４−３５９１０６号公報（段落００２９、図１）
【発明の開示】
【発明が解決しようとする課題】
【０００５】
ところで、オプションマットとして、例えば、運転席用トレーマット、助手席用トレーマット及びセンターマットを構成する場合、例えば同形式の自動車に使用する場合であっても、自動車のメーカーや車種等によって自動車内の内幅寸法は僅かではあるが様々に相違する場合が多いことから、従来は、自動車のメーカーや車種等に合わせて個別に多種類のオプションマットを商品群として備えておかなければならなかった。このように個別に多種類のオプションマットを製造するとなると、これに合わせて金型等も多種類準備しなければならず、非常に高コストになるという問題があった。
【０００６】
この発明は、かかる技術的背景に鑑みてなされたものであって、一対のフロアーマットが中央の連結マットを介して相互に連結されて敷設されるマットであって、敷設対象の自動車の内幅寸法に対応してマットの敷設状態での幅寸法を適宜調整して敷設することが可能な汎用性に優れた自動車用マットを提供することを目的とする。
【課題を解決するための手段】
【０００７】
前記目的を達成するために、本発明は以下の手段を提供する。
【０００８】
［１］幅方向左側端部の裏面に複数の凹溝が前後方向に沿って形成された第１フロアーマットと、
幅方向右側端部の裏面に複数の凹溝が前後方向に沿って形成された第２フロアーマットと、
幅方向の右側端部に上方に向けて突出する複数の突条が前後方向に沿って形成されると共に幅方向の左側端部に上方に向けて突出する複数の突条が前後方向に沿って形成された連結マットと、を備えてなり、
前記連結マットの右側端部の突条は、前記第１フロアーマットの左側端部の裏面の凹溝内に着脱自在に嵌合可能であり、前記連結マットの左側端部の突条は、前記第２フロアーマットの右側端部の裏面の凹溝内に着脱自在に嵌合可能であることを特徴とする横幅調整機能を有する自動車用マット。
【０００９】
［２］前記第１フロアーマットの左側端部の裏面の凹溝の前後方向の長さは、前記連結マットの右側端部の突条の前後方向の長さよりも長く設定され、前記第２フロアーマットの右側端部の裏面の凹溝の前後方向の長さは、前記連結マットの左側端部の突条の前後方向の長さよりも長く設定されている前項１に記載の横幅調整機能を有する自動車用マット。
【００１０】
［３］前記第１フロアーマットの凹溝を構成する左右両側の側壁のうちの少なくともいずれか一方の側壁に該凹溝の内部に突出する第１係合突起が形成され、前記連結マットの右側端部の突条の左右両側の側面のうちの前記第１係合突起と対峙する側面に該第１係合突起と係合し得る第１係合片が突設され、
前記第２フロアーマットの凹溝を構成する左右両側の側壁のうちの少なくともいずれか一方の側壁に該凹溝の内部に突出する第２係合突起が形成され、前記連結マットの左側端部の突条の左右両側の側面のうちの前記第２係合突起と対峙する側面に該第２係合突起と係合し得る第２係合片が突設されている前項１または２に記載の横幅調整機能を有する自動車用マット。
【００１１】
［４］前記第１フロアーマットと前記連結マットとを連結する際に第１フロアーマットの複数の凹溝と連結マットの右側端部の複数の突条との嵌合数を選択するとともに、前記第２フロアーマットと前記連結マットとを連結する際に第２フロアーマットの複数の凹溝と連結マットの左側端部の複数の突条との嵌合数を選択することによって、連結敷設状態での横幅を調節し得るものとなされている前項１〜３のいずれか１項に記載の横幅調整機能を有する自動車用マット。
【００１２】
［５］幅方向左側端部の裏面に複数の突条が前後方向に沿って形成された第１フロアーマットと、
幅方向右側端部の裏面に複数の突条が前後方向に沿って形成された第２フロアーマットと、
幅方向の右側端部の上面に複数の凹溝が前後方向に沿って形成されると共に幅方向の左側端部の上面に複数の凹溝が前後方向に沿って形成された連結マットと、を備えてなり、
前記第１フロアーマットの左側端部の裏面の突条は、前記連結マットの右側端部の凹溝内に着脱自在に嵌合可能であり、前記第２フロアーマットの右側端部の裏面の突条は、前記連結マットの左側端部の凹溝内に着脱自在に嵌合可能であることを特徴とする横幅調整機能を有する自動車用マット。
【００１３】
［６］前記第１フロアーマットの左側端部の裏面の突条の前後方向の長さは、前記連結マットの右側端部の凹溝の前後方向の長さよりも長く設定され、前記第２フロアーマットの右側端部の裏面の突条の前後方向の長さは、前記連結マットの左側端部の凹溝の前後方向の長さよりも長く設定されている前項５に記載の横幅調整機能を有する自動車用マット。
【００１４】
［７］前記連結マットの右側端部の凹溝を構成する左右両側の側壁のうちの少なくともいずれか一方の側壁に該凹溝の内部に突出する第１係合片が形成され、前記第１フロアーマットの突条の左右両側の側面のうちの前記第１係合片と対峙する側面に該第１係合片と係合し得る第１係合突起が突設され、
前記連結マットの左側端部の凹溝を構成する左右両側の側壁のうちの少なくともいずれか一方の側壁に該凹溝の内部に突出する第２係合片が形成され、前記第２フロアーマットの突条の左右両側の側面のうちの前記第２係合片と対峙する側面に該第２係合片と係合し得る第２係合突起が突設されている前項５または６に記載の横幅調整機能を有する自動車用マット。
【００１５】
［８］前記第１フロアーマットと前記連結マットとを連結する際に第１フロアーマットの複数の突条と連結マットの右側端部の複数の凹溝との嵌合数を選択するとともに、前記第２フロアーマットと前記連結マットとを連結する際に第２フロアーマットの複数の突条と連結マットの左側端部の複数の凹溝との嵌合数を選択することによって、連結敷設状態での横幅を調節し得るものとなされている前項５〜７のいずれか１項に記載の横幅調整機能を有する自動車用マット。
【発明の効果】
【００１６】
［１］の発明では、第１フロアーマットの左側端部の複数の凹溝内に、連結マットの右側端部の突条を嵌合して両者を連結する際に、複数の凹溝と複数の突条の嵌合数（即ち嵌合位置）を適宜選択することによって、第１フロアーマットと連結マットを連結した状態時における横幅寸法を調節することができると共に、第２フロアーマットの右側端部の複数の凹溝内に、連結マットの左側端部の突条を嵌合して両者を連結する際に、複数の凹溝と複数の突条の嵌合数（即ち嵌合位置）を適宜選択することによって、第２フロアーマットと連結マットを連結した状態時における横幅寸法を調節することができるので、敷設対象の自動車の内幅寸法に対応してマットの連結敷設状態での幅寸法を適宜調整して敷設することが可能であり、汎用性に優れたものが提供される。
【００１７】
［２］の発明では、フロアーマットの凹溝の前後方向の長さは、連結マットの突条の前後方向の長さよりも長く設定されているので、連結マットに対する第１フロアーマット及び第２フロアーマットの前後方向における取り付け位置を適宜所望の位置に設定することが可能となる（適宜前後方向にずらして取り付けできる）。これにより、様々な車種への適応性を向上させることができて自動車用マットとして汎用性をより一層向上できる。
【００１８】
［３］の発明では、連結時に、フロアーマットの凹溝内部の係合突起と連結マットの突条の係合片とが係合するので、凹溝内への突条の嵌合状態を容易には解消できないものとなり、これにより連結マットに対する第１フロアーマット及び第２フロアーマットの連結固定強度を十分に向上させることができる。
【００１９】
［４］の発明では、敷設対象の自動車の内幅寸法に対応してマットの連結敷設状態での幅寸法を適宜調整して敷設できる汎用性に優れた自動車用マットが提供される。
【００２０】
［５］の発明では、連結マットの右側端部の複数の凹溝内に、第１フロアーマットの左側端部の複数の突条を嵌合して両者を連結する際に、複数の凹溝と複数の突条の嵌合数（即ち嵌合位置）を適宜選択することによって、第１フロアーマットと連結マットを連結した状態時における横幅寸法を調節することができると共に、連結マットの左側端部の複数の凹溝内に、第２フロアーマットの右側端部の複数の突条を嵌合して両者を連結する際に、複数の凹溝と複数の突条の嵌合数（即ち嵌合位置）を適宜選択することによって、第２フロアーマットと連結マットを連結した状態時における横幅寸法を調節することができるので、敷設対象の自動車の内幅寸法に対応してマットの連結敷設状態での幅寸法を適宜調整して敷設することが可能であり、汎用性に優れたものが提供される。
【００２１】
［６］の発明では、フロアーマットの突条の前後方向の長さは、連結マットの凹溝の前後方向の長さよりも長く設定されているので、連結マットに対する第１フロアーマット及び第２フロアーマットの前後方向における取り付け位置を適宜所望の位置に設定することが可能となる（適宜前後方向にずらして取り付けできる）。これにより、様々な車種への適応性を向上させることができて自動車用マットとして汎用性をより一層向上できる。
【００２２】
［７］の発明では、連結時に、連結マットの凹溝内部の係合突起とフロアーマットの突条の係合片とが係合するので、凹溝内への突条の嵌合状態を容易には解消できないものとなり、これにより連結マットに対する第１フロアーマット及び第２フロアーマットの連結固定強度を十分に向上させることができる。
【００２３】
［８］の発明では、敷設対象の自動車の内幅寸法に対応してマットの連結敷設状態での幅寸法を適宜調整して敷設できる汎用性に優れた自動車用マットが提供される。
【発明を実施するための最良の形態】
【００２４】
この発明に係る横幅調整機能を有する自動車用マット（１）の一実施形態を図１〜１１に示す。これらの図において、（１０）は第１フロアーマット、（２０）は第２フロアーマット、（３０）は連結マットである。
【００２５】
前記第１フロアーマット（１０）は、前記連結マット（３０）の右側に配置されるトレーマットであり、本実施形態では、運転席用のトレーマットとして用いられるものである。この第１フロアーマット（１０）は、本実施形態では、透明樹脂の成形体からなる。
【００２６】
前記第１フロアーマット（１０）は、運転席用であるので、右側の前端部にアクセル用の受容切り欠き部が形成されると共に、左側の前端部にフットレスト部用の受容切り欠き部が形成されていて、全体としては平面視略矩形状に形成されている（図６参照）。
【００２７】
また、前記第１フロアーマット（１０）の幅方向の左側端部の裏面に、図７に示すように、３つの凹溝（１１）（１１）（１１）が前後方向に沿って互いに平行状に形成されている。
【００２８】
前記凹溝（１１）を構成する左右両側の側壁のうち左側（外方側、連結マット側）の側壁に、当該凹溝（１１）の内部に突出する第１係合突起（１２）が設けられている（図７参照）。この第１係合突起（１２）は、前後方向に延びる突条部で構成されている。
【００２９】
前記第２フロアーマット（２０）は、前記連結マット（３０）の左側に配置されるトレーマットであり、本実施形態では、助手席用のトレーマットとして用いられるものである。この第２フロアーマット（２０）は、本実施形態では、透明樹脂の成形体からなる。
【００３０】
前記第２フロアーマット（２０）は、助手席用であるので、左側のコーナー部に面取り部が形成されていて、全体としては平面視略矩形状に形成されている（図８参照）。
【００３１】
また、前記第２フロアーマット（２０）の幅方向の右側端部の裏面に、図９に示すように、３つの凹溝（２１）（２１）（２１）が前後方向に沿って互いに平行状に形成されている。
【００３２】
前記凹溝（２１）を構成する左右両側の側壁のうち右側（外方側、連結マット側）の側壁に、当該凹溝（２１）の内部に突出する第２係合突起（２２）が設けられている（図９参照）。この第２係合突起（２２）は、前後方向に延びる突条部で構成されている。
【００３３】
前記連結マット（３０）は、平面視略矩形状の中央本体部（３７）と、該中央本体部（３７）の右縁から外方に延ばされた平面視略矩形状の右側舌片部（３８）と、前記中央本体部（３７）の左縁から外方に延ばされた平面視略矩形状の左側舌片部（３９）と、を備えてなる（図１０参照）。この連結マット（３０）は、本実施形態では、透明樹脂の成形体からなる。
【００３４】
前記連結マット（３０）の右側舌片部（３８）の右側端部に、上方に向けて突出する３つの突条（３１）（３１）（３１）が前後方向に沿って互いに平行状に形成されている（図１０、１１参照）。この突条（３１）における左側（内方側）の側面（連結時に前記第１係合突起と対峙する側面）に、前記第１係合突起（１２）と係合可能な第１係合片（３３）が突設されている。この第１係合片（３３）は、前後方向に延びる突条部で構成されている（図１１（ａ）参照）。しかして、前記連結マット（３０）の右側端部の突条（３１）を前記第１フロアーマット（１０）の左側端部の裏面の凹溝（１１）内に嵌合すると、前記第１係合突起（１２）と前記第１係合片（３３）が係合した状態で嵌合されるので（図３（ａ）及び図５（ａ）参照）、十分な連結強度が確保される一方、強い力を加えれば前記嵌合状態を解消することができ、このように、前記連結マット（３０）の右側端部の突条（３１）は、前記第１フロアーマット（１０）の左側端部の裏面の凹溝（１１）内に着脱自在に嵌合し得るものとなされている。
【００３５】
また、前記連結マット（３０）の左側舌片部（３９）の左側端部に、上方に向けて突出する３つの突条（３２）（３２）（３２）が前後方向に沿って互いに平行状に形成されている（図１０、１１参照）。この突条（３２）における右側（内方側）の側面（連結時に前記第２係合突起と対峙する側面）に、前記第２係合突起（２２）と係合可能な第２係合片（３４）が突設されている。この第２係合片（３４）は、前後方向に延びる突条部で構成されている（図１１（ｂ）参照）。しかして、前記連結マット（３０）の左側端部の突条（３２）を前記第２フロアーマット（２０）の右側端部の裏面の凹溝（２１）内に嵌合すると、前記第２係合突起（２２）と前記第２係合片（３４）が係合した状態で嵌合されるので（図３（ｂ）及び図５（ｂ）参照）、十分な連結強度が確保される一方、強い力を加えれば前記嵌合状態を解消することができ、このように、前記連結マット（３０）の左側端部の突条（３２）は、前記第２フロアーマット（２０）の右側端部の裏面の凹溝（２１）内に着脱自在に嵌合し得るものとなされている。
【００３６】
なお、本実施形態では、第１フロアーマット（１０）の左側端部の裏面の凹溝（１１）の前後方向の長さは、前記連結マット（３０）の右側端部の突条（３１）の前後方向の長さよりも長く設定され、前記第２フロアーマット（２０）の右側端部の裏面の凹溝（２１）の前後方向の長さは、前記連結マット（３０）の左側端部の突条（３２）の前後方向の長さよりも長く設定されている。
【００３７】
しかして、上記構成の自動車用マット（１）を自動車内に敷設する際には、敷設対象の自動車の内幅（内部の横幅）寸法に対応してマット（１）の連結敷設状態での横幅寸法を適宜調整して敷設することができる。
【００３８】
例えば、第１フロアーマット（１０）の左側端部の凹溝（１１）（１１）（１１）内に、連結マット（３０）の右側端部の突条（３１）（３１）（３１）を嵌合して両者を連結すると共に、第２フロアーマット（２０）の右側端部の凹溝（２１）（２１）（２１）内に、連結マット（３０）の左側端部の突条（３２）（３２）（３２）を嵌合して両者を連結する際に、図２、３に示すように、１つの凹溝（１１）のみに１つの突条（３１）を嵌合することによって第１フロアーマット（１０）と連結マット（３０）を連結し、１つの凹溝（２１）のみに１つの突条（３２）を嵌合することによって第２フロアーマット（２０）と連結マット（３０）を連結すれば、全体の横幅が最も長くなる態様で連結することができて、横幅が長い態様で自動車用マット（１）を敷設することが可能となる。
【００３９】
一方、図４、５に示すように、３つの凹溝（１１）（１１）（１１）に３つの突条（３１）（３１）（３１）をそれぞれ嵌合することによって第１フロアーマット（１０）と連結マット（３０）を連結し、３つの凹溝（２１）（２１）（２１）に３つの突条（３２）（３２）（３２）をそれぞれ嵌合することによって第２フロアーマット（２０）と連結マット（３０）を連結すれば、全体の横幅が最も短くなる態様で連結することができて、横幅が短い態様で自動車用マット（１）を敷設することが可能となる。
【００４０】
また、図示しないが、例えば２つの凹溝（１１）（１１）に２つの突条（３１）（３１）をそれぞれ嵌合することによって第１フロアーマット（１０）と連結マット（３０）を連結し、２つの凹溝（２１）（２１）に２つの突条（３２）（３２）をそれぞれ嵌合することによって第２フロアーマット（２０）と連結マット（３０）を連結すれば、全体の横幅が中程度の大きさになる態様で連結することができる。
【００４１】
このように本発明の自動車用マット（１）によれば、敷設対象の自動車の内幅寸法に対応してマットの連結敷設状態での横幅寸法を適宜微調整して敷設することが可能であるから、汎用性に優れている。
【００４２】
また、第１フロアーマット（１０）の凹溝（１１）の前後方向の長さは、連結マット（３０）の右側端部の突条（３１）の前後方向の長さよりも長く設定され、第２フロアーマット（２０）の凹溝（２１）の前後方向の長さは、連結マット（３０）の左側端部の突条（３２）の前後方向の長さよりも長く設定されているから、連結マット（３０）に対する第１フロアーマット（１０）及び第２フロアーマット（２０）の前後方向における取り付け位置を適宜所望の位置にずらして取り付ける（連結する）ことが可能であり、従って様々な車種に十分に適応して敷設することが可能となり、自動車用マット（１）としての汎用性をより一層向上できる利点がある。
【００４３】
ところで、上記実施形態に係る自動車用マット（１）は、図１２に示すように、幅方向左側端部の裏面に複数の突条（６１）が前後方向に沿って形成された第１フロアーマット（１０）と、幅方向右側端部の裏面に複数の突条（６２）が前後方向に沿って形成された第２フロアーマット（２０）と、幅方向の右側端部の上面に複数の凹溝（６３）が前後方向に沿って形成されると共に幅方向の左側端部の上面に複数の凹溝（６４）が前後方向に沿って形成された連結マット（３０）と、を備え、第１フロアーマット（１０）の左側端部の裏面の突条（６１）は、前記連結マットの右側端部の凹溝（６３）内に着脱自在に嵌合可能であり、前記第２フロアーマット（２０）の右側端部の裏面の突条（６２）は、前記連結マット（３０）の左側端部の凹溝（６４）内に着脱自在に嵌合可能な構成である、とも捉えることができる。この場合には、前述した［６］〜［８］の発明の構成を採用するのが好ましい、と言える。
【００４４】
即ち、前記連結マット（３０）の右側端部の凹溝（６３）を構成する左右両側の側壁のうちの少なくともいずれか一方の側壁に該凹溝（６３）の内部に突出する第１係合片（３３）が形成され、前記第１フロアーマット（１０）の突条（６１）の左右両側の側面のうちの前記第１係合片（３３）と対峙する側面に該第１係合片（３３）と係合し得る第１係合突起（１２）が突設され、前記連結マット（３０）の左側端部の凹溝（６４）を構成する左右両側の側壁のうちの少なくともいずれか一方の側壁に該凹溝（６４）の内部に突出する第２係合片（３４）が形成され、前記第２フロアーマット（２０）の突条（６２）の左右両側の側面のうちの前記第２係合片（３４）と対峙する側面に該第２係合片（３４）と係合し得る第２係合突起（２２）が突設されている（図１２参照）。
【００４５】
なお、上記実施形態では、前記第１フロアーマット（１０）は運転席用のフロアーマットとして用いられ、前記第２フロアーマット（２０）は助手席用のフロアーマットとして用いられるものであったが、特にこのような構成に限定されるものではなく、例えば後部座席用のフロアーマットとして用いられるように構成されたものであっても良い。
【００４６】
また、上記実施形態では、連結マット（３０）の右側端部の突条（３１）の幅と、連結マット（３０）の左側端部の突条（３２）の幅は、同一に設定され、第１フロアーマット（１０）の凹溝（１１）の幅と、第２フロアーマット（２０）の凹溝（２１）の幅は、同一に設定されているが、特にこのような構成に限定されるものではなく、例えば、連結マット（３０）の右側端部の突条（３１）の幅と、連結マット（３０）の左側端部の突条（３２）の幅は、異なるように構成されていても良い。
【００４７】
また、上記実施形態では、前記凹溝（１１）（２１）の形成数はいずれも３個であるが、特にこのような形成数に限定されるものではなく、例えば凹溝（１１）（２１）の形成数はそれぞれ２個であっても良いし、或いは凹溝（１１）（２１）の形成数はそれぞれ４個以上であっても良い。例えば前記凹溝（１１）（２１）の形成数を増やすと共に、前記凹溝（１１）（２１）の幅を減少せしめた構成を採用すれば、マット（１）の連結敷設状態での横幅寸法をより一層細かく微調整することが可能となる。
【図面の簡単な説明】
【００４８】
【図１】この発明の一実施形態に係る横幅調整機能を有する自動車用マットを各構成部材を分離した状態で示す斜視図である。
【図２】図１の自動車用マットの各構成部材を全体の横幅が最も長くなる態様で連結した状態を示す平面図である。
【図３】（ａ）は図２におけるＳ１−Ｓ１線の断面図、（ｂ）は図２におけるＳ２−Ｓ２線の断面図である。
【図４】図１の自動車用マットの各構成部材を全体の横幅が最も短くなる態様で連結した状態を示す平面図である。
【図５】（ａ）は図４におけるＶ１−Ｖ１線の断面図、（ｂ）は図４におけるＶ２−Ｖ２線の断面図である。
【図６】第１フロアーマットを示す平面図である。
【図７】図６におけるＷ−Ｗ線の断面図である。
【図８】第２フロアーマットを示す平面図である。
【図９】図８におけるＸ−Ｘ線の断面図である。
【図１０】連結マットを示す平面図である。
【図１１】（ａ）は図１０におけるＹ１−Ｙ１線の断面図、（ｂ）は図１０におけるＹ２−Ｙ２線の断面図である。
【図１２】図１の自動車用マットをその各構成部材を分離した状態で示す断面図である。
【符号の説明】
【００４９】
１…自動車用マット
１０…第１フロアーマット
１１…凹溝
１２…第１係合突起
２０…第２フロアーマット
２１…凹溝
２２…第２係合突起
３０…連結マット
３１…突条（右側）
３２…突条（左側）
３３…第１係合片
３４…第２係合片
６１…突条
６２…突条
６３…凹溝（右側）
６４…凹溝（左側）
【図１】
0004921271.tif 000002
【図２】
0004921271.tif 000003
【図３】
0004921271.tif 000004
【図４】
0004921271.tif 000005
【図５】
0004921271.tif 000006
【図６】
0004921271.tif 000007
【図７】
0004921271.tif 000008
【図８】
0004921271.tif 000009
【図９】
0004921271.tif 000010
【図１０】
0004921271.tif 000011
【図１１】
0004921271.tif 000012
【図１２】
0004921271.tif 000013